(57)【特許請求の範囲】
【請求項１】
ユーザ装置から報告された下りリンクの受信信号品質を基地局装置が補正するのに使用される補正テーブルを作成する方法であって、
前記基地局装置は、複数のアンテナを備え、空間分割多元接続(SDMA)方式で複数のユーザ装置に複数のビームを送信し、当該方法は、
ビーム総数マイナス１より少ない干渉ユーザ数を考慮してユーザ装置で得られる第１の受信信号品質と、ビーム総数マイナス１に等しい干渉ユーザ数を考慮して前記ユーザ装置で得られる第２の受信信号品質とを求め、第１の受信信号品質に対する第２の受信信号品質の分布状況を調べるステップと、
前記分布状況に基づいて、特定の第１の受信信号品質から特定の第２の受信信号品質を導出する対応関係を決定し、前記補正テーブルを作成するステップと、
を有する方法。
【請求項２】
前記対応関係は、特定の第１の受信信号品質について、累積分布が所定値になる第２の受信信号品質を対応付ける請求項１記載の方法。
【請求項３】
前記補正テーブルは、前記複数のアンテナの数、間隔若しくは高さ、ビームの指向性パターン、当該基地局周辺の建物の平均的な高さ、空間分割多元接続数、受信品質測定で考慮される他ユーザ数又はユーザ装置における信号復調方法の内の１つ以上の組み合わせについて用意される請求項１記載の方法。
【請求項４】
前記対応関係は、再送回数に応じて異なる請求項１記載の方法。
【請求項５】
前記第１及び第２の受信信号品質が、希望信号電力と非希望信号電力の比率で表現される請求項１記載の方法。
【請求項６】
前記第１及び第２の受信信号品質が、希望信号電力と非希望信号電力の比率を量子化したチャネル品質インジケータで表現される請求項１記載の方法。
【請求項７】
ユーザ装置から報告された下りリンクの受信信号品質を基地局装置が補正するのに使用される補正テーブルを作成する装置であって、
前記基地局装置は、複数のアンテナを備え、空間分割多元接続(SDMA)方式で複数のユーザ装置に複数のビームを送信し、当該装置は、
ビーム総数マイナス１より少ない干渉ユーザ数を考慮してユーザ装置で得られる第１の受信信号品質と、ビーム総数マイナス１に等しい干渉ユーザ数を考慮して前記ユーザ装置で得られる第２の受信信号品質とを求め、第１の受信信号品質に対する第２の受信信号品質の分布状況を調べ、
前記分布状況に基づいて、特定の第１の受信信号品質から特定の第２の受信信号品質を導出する対応関係を決定し、前記補正テーブルを作成する装置。
【発明の詳細な説明】
【技術分野】
【０００１】
本発明は移動通信の技術分野に関し、特に空間分割多元アクセス（ＳＤＭＡ：Ｓｐａｔｉａｌ  Ｄｉｖｉｓｉｏｎ  Ｍｕｌｔｉｐｌｅｘ  Ａｃｃｅｓｓ）方式の基地局装置、基地局装置で使用される方法、CQI補正テーブル作成方法及び装置に関連する。
【背景技術】
【０００２】
マルチインプットマルチアウトプット(MIMO)方式は、通信に複数のアンテナを用いることで伝送信号の高速化及び／又は高品質化を図るマルチアンテナ方式の通信である。下りリンクで複数のユーザとMIMO方式で通信が行われる場合、それは「下りリンクマルチユーザMIMO」方式、或いは「空間分割多元アクセス（ＳＤＭＡ）」方式とも呼ばれる。下りリンクマルチユーザMIMO方式ではプリコーディング方式が使用される。プリコーディング方式は、送信信号のストリームを複製し、複製された各ストリームを適切な重みと共に合成して送信することで、指向性の制御されたビームで通信相手に信号を送るようにする技術である。プリコーディング方式で使用される重みは、送信ウエイト、プリコーディングベクトル又はプリコーディングマトリクスと呼ばれる。
【０００３】
図１はプリコーディングが行われる様子を模式的に示す。２つの送信ストリーム１，２はそれぞれコピー部で２系列に複製され、各系列にプリコーディングベクトルが乗算され、合成された後に送信される。送信ストリームＳ１は第１ユーザ装置ＵＥ１に向けて送信される。送信ストリームＳ２は第２ユーザ装置ＵＥ２に向けて送信される。プリコーディングベクトルは受信側（ユーザ装置）からのフィードバックに基づいて、より適切な値になるよう適応的に制御される。プリコーディングについては例えば非特許文献１で説明されている。
【０００４】
一方、第３世代移動通信システムの後継であるロングタームエボリューション(ＬＴＥ)システムのような次世代移動通信システムでは、上下リンク双方において、ユーザ装置に１つ以上のリソースブロック又はリソースユニットを割り当てることで通信が行われる。ユーザ装置は、移動局だけでなく固定局をも含む概念である。リソースブロックはシステム内の多数のユーザ装置で共有される。下りリンクで共有されるチャネルは下り物理共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と呼ばれる。上りリンクで共有されるチャネルは上り物理共有チャネル（ＰＵＳＣＨ：Ｐｈｙｓｉｃａｌ  Ｕｐｌｉｎｋ  Ｓｈａｒｅｄ  Ｃｈａｎｎｅｌ）と呼ばれる。基地局装置（ｅＮＢ）は例えば１ｍｓであるサブフレーム（又は送信時間間隔ＴＴＩ）毎に複数のユーザ装置の中でどのユーザ装置にどのリソースブロックをどのような伝送フォーマットで割り当てるかを決定する。このプロセスはスケジューリングと呼ばれる。伝送フォーマットはデータ変調方式及びデータサイズ（又はチャネル符号化方式）を指定することで決定され、伝送フォーマットを適宜変更する方式は適応変調符号化方式(ＡＭＣ：  Ａｄａｐｔｉｖｅ  Ｍｏｄｕｌａｔｉｏｎ  ａｎｄ  Ｃｏｄｉｎｇ  Ｓｃｈｅｍｅ)と呼ばれる。下りリンクにおいては、基地局装置は、スケジューリングで選択されたユーザ装置宛に、１以上のリソースブロックで下り物理共有チャネルＰＤＳＣＨを送信する。上りリンクにおいては、スケジューリングで選択されたユーザ装置が、基地局装置に対して１以上のリソースユニットで上り共有物理チャネルＰＵＳＣＨを送信する。上下リンクのスケジューリングの内容はサブフレーム毎にユーザ装置に通知される（シグナリング）。このシグナリングに用いられる制御チャネルは、下りリンク物理制御チャネル（ＰＤＣＣＨ：Ｐｈｙｓｉｃａｌ  Ｄｏｎｗｌｉｎｋ  Ｃｏｎｔｒｏｌ  Ｃｈａｎｎｅｌ）または下りＬ１／Ｌ２制御チャネル（ＤＬ−Ｌ１／Ｌ２  Ｃｏｎｔｒｏｌ  Ｃｈａｎｎｅｌ）と呼ばれる。
【０００５】
伝送フォーマットの決定や無線リソースの割り当ては、無線伝搬状況（チャネル状態）に依存して適宜変更される。下りリンクのチャネル状態はユーザ装置で測定され、例えばチャネル品質インジケータ（ＣＱＩ：  Ｃｈａｎｎｅｌ  Ｑｕａｌｉｔｙ  Ｉｎｄｉｃａｔｏｒ）として基地局装置に定期的に報告される。上りリンクのチャネル状態は、上りリファレンスシンボル（ＵＬ−ＲＳ：ＵｐＬｉｎｋ−Ｒｅｆｅｒｅｎｃｅ  Ｓｙｍｂｏｌ）の受信品質に基づいて基地局装置で測定される。伝送フォーマットの決定や無線リソースの割り当ては、システムのスループットに直接影響を及ぼすので、基地局装置はチャネル状態をできるだけ正確に把握することが望ましい。
【０００６】
ところで、ユーザ装置で行われるＣＱＩの測定は、下りリファレンスシンボル（ＤＬ−ＲＳ）の受信品質を例えば数十段階の受信ＳＩＮＲ（Ｓｉｇｎａｌ  ｔｏ  Ｉｎｔｅｒｆｅｒｅｎｃｅ  Ｎｏｉｓｅ  Ｒａｔｉｏ）［ｄＢ］の内の１つで表現し、その受信ＳＩＮＲの属する量子化レベルを見出すことで、ＣＱＩが導出される。概して受信ＳＩＮＲは希望信号電力と非希望信号電力の比率で表現されるが、非希望信号電力をどのように取り扱うかに依存して、ＳＩＮＲの測定値は大きく異なる。測定値がどのように異なるかの計算例については、非特許文献２で言及されている。
【０００７】
非希望信号電力の取り扱いにおいて、自装置以外の他のユーザ装置をどのように考慮するか或いは考慮しないかは、受信品質測定に大きく影響する。例えば、自装置ＵＥ１以外に他の２つのユーザ装置ＵＥ２，ＵＥ３が存在し、各ユーザ装置にストリームＳ１，Ｓ２，Ｓ３がそれぞれ基地局装置から送信されていたとする。便宜上、ユーザ装置の受信信号品質測定で考慮される干渉ユーザ数を(m-1)とし、基地局装置の複数のアンテナから空間多重送信されるビーム数をｎとする。ユーザ装置ＵＥ１に関するＳＩＮＲは、他のユーザ装置ＵＥ２，ＵＥ３を考慮すると、
ＳＩＮＲ＝Ｐ１／（Ｐ２＋Ｐ３＋Ｎ）  ・・・（Ａ１）
と書ける。この場合、ｎ＝３，ｍ−１＝２である（ｎ＝ｍ）。但し、Ｐ１はＵＥ１宛のストリームＳ１のＵＥ１における受信電力であり、Ｐ２はＵＥ２宛のストリームＳ２によるＵＥ１における干渉電力であり、Ｐ３はＵＥ３宛のストリームＳ３によるＵＥ１における干渉電力であり、Ｎは雑音信号成分である。
【０００８】
他のユーザ装置を１台しか考慮しなければ、ユーザ装置ＵＥ１に関するＳＩＮＲは、
ＳＩＮＲ＝Ｐ１／（Ｐ２＋Ｎ）又はＰ１／（Ｐ３＋Ｎ）  ・・・（Ａ２）  
と書ける。この場合、ｎ＝３，ｍ−１＝１である（ｎ≠ｍ）。更に、他のユーザ装置を考慮しなければ、ユーザ装置ＵＥ１に関するＳＩＮＲは、
ＳＩＮＲ＝Ｐ１／Ｎ    ・・・（Ａ３）
と書ける。この場合、ｎ＝３，ｍ−１＝０である（ｎ≠ｍ）。
【０００９】
各ユーザ装置に届くパイロット信号（又はリファレンスシンボル）は互いに直交している。従ってパイロット信号に関する受信信号品質については、（Ａ２）式や（Ａ３）式で評価してもよい。しかしながら、下り物理共有チャネルＰＤＳＣＨで伝送されるようなデータ信号は、異なるユーザ間で直交する信号ではないので、（Ａ２）式や（Ａ３）式で評価すると不正確になる。データ信号については（Ａ１）式に示されている他ユーザ宛の信号による干渉信号成分が無視できなくなるからである。
【００１０】
できるだけ正確なチャネル状態の測定値を基地局装置に報告する観点からは、（Ａ１）式のように他のユーザ装置全てを考慮すべきかもしれない。けれどもそのようにすると、マルチユーザＭＩＭＯ（ＭＵ−ＭＩＭＯ）方式で通信を行う場合と、シングルユーザＭＩＭＯ（ＳＵ−ＭＩＭＯ）方式で通信を行う場合とで、受信信号品質の測定方法を変えなければならなくなる。ＳＵ−ＭＩＭＯ方式では、受信品質測定で他ユーザを考慮しないからである。しかしながらＭＵ−ＭＩＭＯ方式及びＳＵ−ＭＩＭＯ方式でユーザ装置における受信信号品質の測定方法を変えることは、システムの複雑化を招き、実用的でない。かといって、ＭＵ−ＭＩＭＯ方式でもＳＵ−ＭＩＭＯ方式でも受信信号品質の測定方法を同じにしただけでは、基地局装置でＣＱＩを正確に把握できなくなる。
【非特許文献１】3GPP  R1-070236,"Precoding  for  E-UTRA  downlink  MIMO",LG  Electronics,  Samsung  and  NTT-DoCoMo
【非特許文献２】3GPP  R1-072983,  "Channel  Quality  Indicator(CQI)  Reporting  for  LTE  MU-MIMO",  Nokia,  TSG  RAN  WG1  meeting#49bis  Orland,  Florida(US),  June  25th-29th,  2007
【発明の開示】
【発明が解決しようとする課題】
【００１１】
本発明は上記の問題点に鑑みてなされたものである。本発明の課題は、ユーザ装置の受信信号品質測定で考慮される干渉ユーザ数(m-1)が、基地局装置の複数のアンテナから空間多重送信されるビーム数マイナス１(n-1)と異なる場合に、上りリンクで報告された受信信号品質を適切に補正することである。
【課題を解決するための手段】
【００１２】
開示される発明による方法は、
ユーザ装置から報告された下りリンクの受信信号品質を基地局装置が補正するのに使用される補正テーブルを作成する方法であって、
前記基地局装置は、複数のアンテナを備え、空間分割多元接続(SDMA)方式で複数のユーザ装置に複数のビームを送信し、当該方法は、
ビーム総数マイナス１より少ない干渉ユーザ数を考慮してユーザ装置で得られる第１の受信信号品質と、ビーム総数マイナス１に等しい干渉ユーザ数を考慮して前記ユーザ装置で得られる第２の受信信号品質とを求め、第１の受信信号品質に対する第２の受信信号品質の分布状況を調べるステップと、
前記分布状況に基づいて、特定の第１の受信信号品質から特定の第２の受信信号品質を導出する対応関係を決定し、前記補正テーブルを作成するステップと、
を有する方法である。
【発明の効果】
【００１３】
本発明によれば、ユーザ装置の受信信号品質測定で考慮される干渉ユーザ数(m-1)が、基地局装置の複数のアンテナから空間多重送信されるビーム数マイナス１(n-1)と異なる場合に、上りリンクで報告された受信信号品質を適切に補正することができる。
【発明を実施するための最良の形態】
【００１４】
本発明の一形態で使用される基地局装置は、複数のアンテナを備え、空間分割多元接続(SDMA)方式で複数のユーザ装置に複数のビームを送信する。基地局装置は、下りリンクの受信信号品質を示す信号をユーザ装置から受信する手段と、前記受信信号品質を補正する補正手段と、補正後の受信信号品質に基づいて、下りリンクの無線リソースの割り当てを計画するスケジューリング手段と、前記無線リソースの割り当てを示すスケジューリング情報をユーザ装置に通知する手段とを有する。前記補正手段は、前記受信信号品質が悪ければ小さく、良ければ大きく減らすように補正する。  
補正前の受信信号品質と補正後の受信信号品質の対応関係を決める補正テーブルは、当該基地局装置に記憶されている。
【００１５】
前記補正テーブルは、前記複数のアンテナの数、間隔若しくは高さ、ビームの指向性パターン、当該基地局周辺の建物の平均的な高さ、空間分割多元接続数、受信品質測定で考慮される他ユーザ数又はユーザ装置における信号復調方法の内の１つ以上の組み合わせについて用意されてもよい。
【００１６】
前記補正手段における前記受信信号品質の補正量は、再送回数に応じて異なってもよい。
【００１７】
前記受信信号品質は、希望信号電力と非希望信号電力の比率で表現されてもよいし、或いはその比率を量子化したチャネル品質インジケータで表現されてもよい。
【００１８】
本発明の一形態で使用される方法は、複数のアンテナを備え、空間分割多元接続(SDMA)方式で複数のユーザ装置に複数のビームを送信する基地局装置で使用される。本方法は、下りリンクの受信信号品質を示す信号をユーザ装置から受信するステップと、前記受信信号品質を補正する補正ステップと、補正後の受信信号品質に基づいて、下りリンクの無線リソースの割り当てを計画するスケジューリングステップと、前記無線リソースの割り当てを示すスケジューリング情報をユーザ装置に通知するステップとを有する。前記補正ステップは、前記受信信号品質が悪ければ小さく、良ければ大きく減らすように補正する。
【００１９】
本発明の一形態では、ユーザ装置から報告された下りリンクの受信信号品質を基地局装置が補正するのに使用される補正テーブルを作成する方法が使用される。前記基地局装置は、複数のアンテナを備え、空間分割多元接続(SDMA)方式で複数のユーザ装置に複数のビームを送信する。当該方法は、ビーム総数マイナス１より少ない干渉ユーザ数を考慮してユーザ装置で得られる第１の受信信号品質と、ビーム総数マイナス１に等しい干渉ユーザ数を考慮して前記ユーザ装置で得られる第２の受信信号品質とを求め、第１の受信信号品質に対する第２の受信信号品質の分布状況を調べるステップと、前記分布状況に基づいて、特定の第１の受信信号品質から特定の第２の受信信号品質を導出する対応関係を決定し、前記補正テーブルを作成するステップとを有する。
【００２０】
本発明の一形態では、ユーザ装置から報告された下りリンクの受信信号品質を基地局装置が補正するのに使用される補正テーブルを作成する装置が使用される。前記基地局装置は、複数のアンテナを備え、空間分割多元接続(SDMA)方式で複数のユーザ装置に複数のビームを送信する。当該装置は、ビーム総数マイナス１より少ない干渉ユーザ数を考慮してユーザ装置で得られる第１の受信信号品質と、ビーム総数マイナス１に等しい干渉ユーザ数を考慮して前記ユーザ装置で得られる第２の受信信号品質とを求め、第１の受信信号品質に対する第２の受信信号品質の分布状況を調べる。更に当該装置は、前記分布状況に基づいて、特定の第１の受信信号品質から特定の第２の受信信号品質を導出する対応関係を決定し、前記補正テーブルを作成する。
【００２１】
発明の理解を促すため具体的な数値例を用いて説明がなされるが、特に断りのない限り、それらの数値は単なる一例に過ぎず適切な如何なる値が使用されてもよい。
【実施例１】
【００２２】
＜ＣＱＩ補正テーブルの作成＞
本実施例では、ＭＵ−ＭＩＭＯ方式でもＳＵ−ＭＩＭＯ方式でもユーザ装置で行われる受信信号品質の測定方法を同じにすることができる。その代わり、基地局装置は、ＣＱＩ補正テーブルを用いて、ユーザ装置から報告されたＣＱＩ測定値を適切な値に補正する。適切に補正されたＣＱＩ補正値に基づくので、無線リソースの割り当て及び伝送フォーマットの決定は適切に行われる。
【００２３】
ＣＱＩとＳＩＮＲは本来異なる量を表すが、以下の説明では混乱のおそれのない限り、ＳＩＮＲもＣＱＩも受信信号品質を表す量として同様に言及される。具体的には、ＳＩＮＲを補正するための補正テーブルが、ＣＱＩ補正テーブルと言及されたり、ＳＩＮＲの測定がＣＱＩ測定と言及されたりする。本発明における受信信号品質は、ＳＩＮＲ、ＣＱＩだけでなく信号品質を表現する適切な如何なる量でもよい。
【００２４】
図２はＣＱＩ補正テーブルを作成する本発明の一実施例によるフローチャートを示す。ステップＳ１１では、各種パラメータの値が設定される。各種パラメータには、基地局装置に備わるアンテナの数、間隔若しくは高さ、ビームの指向性パターン、当該基地局周辺の建物の平均的な高さ、空間分割多元接続数（ビーム総数又は同時通信ユーザ数）、ＣＱＩ測定に考慮される他ユーザ数、再送回数等が含まれてよい。ステップＳ１１では、ユーザ装置における信号検出方法も特定される。信号検出方法は、例えばゼロフォーシング（ＺＦ：  Ｚｅｒｏ  Ｆｏｒｃｉｎｇ）、最小二乗誤差法（ＭＭＳＥ：Ｍｉｎｉｍｕｍ  Ｍｅａｎ  Ｓｑｕａｒｅ  Ｅｒｒｏｒ）等適切な如何なる方法でもよい。ＣＱＩ補正テーブルは、ステップＳ１１で設定される様々な項目の内の１つ以上の組み合わせについて作成されてよい。そのような組み合わせは１つに限定されず、適切な如何なる数のＣＱＩ補正テーブルが用意されてもよい。
【００２５】
ステップＳ１３では、ステップＳ１１で設定された条件の下で、ユーザ装置で測定されるＣＱＩ測定値及び基地局装置で把握すべきＣＱＩ補正値が、様々な通信状況の下でどのような値をとるかが調査される。この調査はシミュレーションで行われてもよいし、実測されてもよい。説明の便宜上、シミュレーションでそれらの値が得られるものとする。本実施例では、シミュレーションの条件は次のように設定された：
基地局装置のアンテナ数：４
ユーザ装置のアンテナ数：２
ユーザ装置でのＣＱＩ測定で考慮される他ユーザ数：０（ｍ＝１）
基地局装置から送信されるビーム総数：２（ｎ＝２≠ｍ）
基地局装置のアンテナ間の相関値：０．９５
ユーザ装置での信号検出方法：ＭＭＳＥ
プリコーディングベクトルの種類（コードブックサイズ）：８。
【００２６】
あるユーザ装置で測定される受信信号品質ＳＩＮＲ（ＣＱＩ測定値）は、
ＳＩＮＲ＝Ｐ１／Ｎ  ・・・（Ｂ）
となる。但し、Ｐ１はそのユーザ装置にとっての希望信号のそのユーザでの受信信号電力を表し、Ｎは雑音成分を表す。このユーザ装置に関し、基地局装置で把握されるべき正確な受信信号品質ＳＩＮＲ'（ＣＱＩ補正値）は、
ＳＩＮＲ'＝Ｐ１／（Ｐ２＋Ｎ）  ・・・（Ｃ）
となる。但し、Ｐ２は他ユーザからの非希望信号の希望ユーザにおける受信信号電力を表す。２ユーザの各々で受信されるパイロット信号（リファレンスシンボル）は互いに直交している。従ってパイロット信号に関する受信信号品質については、（Ｂ）式で評価してよい。しかしながら、下り物理共有チャネルＰＤＳＣＨで伝送されるようなデータ信号は、異なるユーザ間で直交する信号ではないので、（Ｂ）式で評価すると不正確になる。データ信号については（Ｃ）式のように他ユーザからの干渉信号成分による影響が大きいからである。ステップＳ１３では、様々な通信条件の下で上記のＳＩＮＲ（ＣＱＩ測定値）及びＳＩＮＲ'（ＣＱＩ補正値）の個々の値を求める。
【００２７】
ステップＳ１５では、ステップＳ１３で求められたＳＩＮＲ（ＣＱＩ測定値）及びＳＩＮＲ'（ＣＱＩ補正値）の個々の値をグラフにプロットし、度数分布又は分布グラフを作成する。
【００２８】
図３はＳＩＮＲ（ＣＱＩ測定値）に対するＳＩＮＲ'（ＣＱＩ補正値）の分布状況のシミュレーション結果を示す。横軸はあるユーザ装置で（Ｂ）式に従って測定されるＳＩＮＲ（ＣＱＩ測定値）を表す。縦軸はそのユーザ装置について基地局装置で把握されるべきＳＩＮＲ'（ＣＱＩ補正値）を表し、（Ｃ）式で計算される値を表す。他ユーザ宛の信号による干渉が無視できる場合、上記の（Ｂ）式のＳＩＮＲ及び（Ｃ）式のＳＩＮＲ'は同様な値を示すようになる。この状況は、図中ＳＩＮＲ'＝ＳＩＮＲの直線に沿うサンプル点として現れている。しかしながら、或るユーザにとって他ユーザ宛の信号による干渉が大きくなると、ＳＩＮＲ及びＳＩＮＲ'は大きく異なるようになる。これは例えば２つのユーザ装置が共に基地局装置近辺に位置する場合に起こり得る。このため、ＳＩＮＲが大きくなるほど（ユーザ装置が基地局装置に近づくほど）、ＳＩＮＲ'のばらつきも大きくなる。例えば、ＳＩＮＲ＝２０ｄＢの場合、ＳＩＮＲ'は８ｄＢ乃至２０ｄＢという広範囲にわたって（１２ｄＢにもわたって）ばらついている。逆にＳＩＮＲが小さくなるほど（ユーザ装置が基地局装置から遠ざかるほど）、ＳＩＮＲ'のばらつきも小さくなる。
【００２９】
図２のステップＳ１７では、特定のＣＱＩ測定値（横軸の或る値）に対して、累積分布の値が所定値（例えば、５％）になるＣＱＩ補正値（縦軸）の値が確認される。例えば、図３の横軸のＳＩＮＲが１０ｄＢの場合、ＳＩＮＲ'は約５ｄＢ乃至約１０ｄＢの範囲に分布している。これらＳＩＮＲ'の様々な値の総数がＮＡＬＬであったとする。この場合、ＳＩＮＲ'がＹｄＢ以下である値の総数が、ＮＡＬＬのＸ％を占めるようなＹの値が確認される。図示の例でＸ＝５％の場合、Ｙ＝７．２ｄＢになる。同様に、ＳＩＮＲが１５ｄＢの場合、ＳＩＮＲ'は約８ｄＢ乃至約１５ｄＢの範囲に分布しており、これらＳＩＮＲ'の様々な値の総数がＮＡＬＬであったとする。この場合、ＳＩＮＲ'がＹｄＢ以下である値の総数が、ＮＡＬＬの５％を占めるようなＹの値は、９．９ｄＢになる。他のＳＩＮＲの値についても同様な計算が行われる。
【００３０】
ステップＳ１９では、特定のＳＩＮＲの値と、ＳＩＮＲ'の値である上記のＹの値との対応関係が、図４に示されるようなＣＱＩ補正テーブルとして用意される。ＣＱＩ補正テーブルで表現される対応関係は、図５の実線で示されるような補正曲線になる。このようＣＱＩ補正テーブルが基地局装置に用意される。基地局装置は、ＣＱＩ補正テーブルを用いて、ユーザ装置から報告されたＣＱＩ測定値を適切な値に補正する。そして、適切に補正されたＣＱＩ補正値に基づいて、無線リソースの割り当て及び伝送フォーマットが決定される。このように基地局装置でＣＱＩ測定値を適切に補正することで、ユーザ装置はＣＱＩ測定方法を変えずに済む。
【００３１】
なお、上記の説明ではＳＩＮＲの分布状況から補正曲線を導出するのに、累積分布が利用されたが、適切な他の如何なる方法で補正曲線が導出されてもよい。
【００３２】
＜変形例＞
図４及び図５に示されているように、ユーザ装置から報告されたＣＱＩ測定値は、ＣＱＩ測定値が悪ければ小さく、良ければ大きく減らすように補正される。即ち、ＣＱＩ測定値は、その値よりも悪くなるように補正される。その結果、例えば、報告されたＣＱＩ測定値に対応する伝送フォーマットよりも、データレートの遅い伝送フォーマットが選択定され、より確実に信号が伝送されるようにスケジューリングされる。或いは、下り送信電力がより強く設定されるかもしれない。
【００３３】
ところで、この種の移動通信システムではハイブリッドＡＲＱ（ＨＡＲＱ：  Ｈｙｂｌｉｄ  Ａｕｔｏｍａｔｉｃ  Ｒｅｐｅａｔ  ｒｅＱｅｓｔ）が使用され、再送制御が行われる。例えば、初回パケットの受信に誤りがあったとしても、再送パケットを受信することで伝送内容を欠落させないようにすることができる。再送制御では、誤りの検出されたパケットを破棄する方法もあるが、より効率的な方法として、誤りの検出されたパケットと再送パケットとを合成することで、より確からしいパケットを導出する方法もある。後者の場合、２回目以降の再送パケットは、初回パケットほど伝送品質を保証しなくてよいかもしれない（即ち、より高いデータレートの伝送フォーマットでよいかもしれないし、より低い送信電力でよいかもしれない。）。再送パケットに先行するパケットは、誤りがあるにせよ何らかの有意な情報を既にもたらしているからである。
【００３４】
このような観点からは、再送パケットと先行するパケット（典型的には、初回パケット）とでＣＱＩ補正テーブルが異なってもよい。或いは、先行パケットに使用されるＣＱＩ補正値を更にＺだけ修正し、再送パケット用のＣＱＩ補正値が導出されてもよい。後者の場合、例えば、
Ｚ＝ａ×（ＣＱＩ測定値）＋ｂ  ・・・（Ｄ）
で表現される量だけＣＱＩ補正値が修正されてもよい。ａ，ｂは何らかの定数であり、それらの双方又は一方が再送回数に応じて変えられてもよい。ａ＝ｂ＝０の場合を初回パケット用と定義してもよい。修正方法は、（Ｄ）式だけに限らず、適切な如何なる修正量が使用されてもよい。但し、ＣＱＩ測定値（横軸）が高品質を表すほど、ＣＱＩ補正値（縦軸）のばらつきが大きくなる特性を考慮すれば、修正量Ｚについても、ＣＱＩ測定値（横軸）が高品質を表すほど大きく増やされることが望ましい。
【００３５】
図６は、ある補正曲線と、この補正曲線を（Ｄ）式で表現される量Ｚだけ増やしたＣＱＩ補正曲線とを示す。再送回数に応じてＣＱＩ測定値に対する修正値を変えることで、再送パケットを過剰品質で送信してしまうことが抑制される。先行パケットに使用されたＣＱＩ測定値を何らかの値Ｚで修正するようにすることで、再送パケットのＣＱＩ測定値を別途報告せずに済む。
【００３６】
＜基地局装置＞
図７は本発明の一実施例で使用される基地局装置を示す。図７にはユーザ毎に用意された送信バッファ＃１〜＃Ｎと、スケジューラと、ユーザ毎に用意されたターボ符号化部及びデータ変調部と、アンテナ数に応じて用意されたプリコーディング乗算部と、アンテナ毎に用意されたＩＦＦＴ部、ＧＩ挿入部、ＲＦ送信回路及びデュープレクサと、上り信号復調復号部と、ＣＱＩ補正部と、ＣＱＩ補正テーブル作成部が描かれている。
【００３７】
送信バッファ＃１〜＃Ｎは、各ユーザ装置に送信する送信ストリームを受信し、送信に備える。
【００３８】
スケジューラは、無線リソースの割り当て計画を示すスケジューリング情報を用意し、割り当て計画に応じて送信バッファからデータを取り出して出力する。
【００３９】
ターボ符号化部は、指定された伝送フォーマットに従って、送信する信号をチャネル符号化する。符号化は適切な如何なる方法でなされてもよいが、本実施例ではターボ符号化が行われる。
【００４０】
データ変調部は、指定された伝送フォーマットに従って、送信する信号をデータ変調する。
【００４１】
プリコーディング乗算部は、スケジューリング情報に従って下り信号をマッピングし、各ユーザ装置宛の信号をアンテナ数分に複製し、複製された信号各々をプリコーディングベクトルで重み付けする。
【００４２】
ＩＦＦＴ部は、入力された信号を高速逆フーリエ変換し、直交周波数分割多重（ＯＦＤＭ）方式の変調を行い、有効シンボル部分を用意する。
【００４３】
ＧＩ挿入部は、有効シンボル部分の一部に基づいてガードインターバルを作成し、それを有効シンボル部分に付加することでベースバンドのＯＦＤＭシンボルを用意する。
【００４４】
ＲＦ送信回路は、ＯＦＤＭシンボルを無線信号として送信可能な送信シンボルに変換する。
【００４５】
デュープレクサは、アンテナを送信側に又は受信側に接続し、送受切り替えを行う。
【００４６】
上り信号復調復号部は、上りリンクで受信した信号を復調及び復号し、制御信号及びデータ信号等を復元する。本発明に関しては、特に、ユーザ装置から報告されたＣＱＩ測定値が、受信信号から抽出される。
【００４７】
ＣＱＩ補正部は、ＣＱＩ補正テーブルを用いて、ＣＱＩ測定値をＣＱＩ補正値に変換する。ＣＱＩ補正値に基づいて、無線リソースの割り当て計画が決定され、且つ伝送フォーマットも決定される。決定内容に応じて、スケジューラによるデータの取出及び出力、ターボ符号化部によるチャネル符号化及びデータ変調部によるデータ変調が行われる。
【００４８】
ＣＱＩ補正テーブル作成部は、図２に関連して説明された方法の各手順を実行し、ＣＱＩ補正テーブルを導出する。ＣＱＩ補正テーブルは基地局装置に必須であるが、ＣＱＩ補正テーブル作成部は、基地局装置に必須でない。ＣＱＩ補正テーブル作成部は、適切な何らかのシミュレータで実現されてもよい。
【００４９】
以上本発明は特定の実施例を参照しながら説明されてきたが、実施例は単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【図面の簡単な説明】
【００５０】
【図１】プリコーディングが行われる様子を模式的に示す図である。
【図２】ＣＱＩ補正テーブルを作成する本発明の一実施例によるフローチャートを示す。
【図３】ＣＱＩ測定値及びＣＱＩ補正値の分布を示す図である。
【図４】ＣＱＩ補正テーブルの一例を示す図である。
【図５】ＣＱＩ補正曲線を示す図である。
【図６】先行パケット用のＣＱＩ補正値をＺだけ修正し、再送パケット用のＣＱＩ補正値を導出する補正曲線を示す図である。
【図７】本発明の一実施例で使用される基地局装置を示す。
【符号の説明】
【００５１】
ＵＥ  ユーザ装置
ｅＮＢ  基地局装置
ＣＱＩ  チャネル品質インジケータ
ＳＩＮＲ  信号電力対雑音干渉電力比
【図１】
0005222517.tif 000002
【図２】
0005222517.tif 000003
【図３】
0005222517.tif 000004
【図４】
0005222517.tif 000005
【図５】
0005222517.tif 000006
【図６】
0005222517.tif 000007
【図７】
0005222517.tif 000008